(57)【特許請求の範囲】
【請求項１】
イヤホンプラグ用の連結部品であって、
少なくとも１つのリードピンを備え、
前記イヤホンプラグと連結した場合、前記少なくとも１つのリードピンが前記イヤホンプラグの端部近くの少なくとも１つの端子に接続され、
前記イヤホンプラグと連結してイヤホンソケットに挿入された場合、前記イヤホンソケットの深さは、前記イヤホンプラグの端子のうち、前記リードピンに接続される端子以外の端子の幅の合計であることを特徴とする連結部品。
【請求項２】
前記連結部品は、中空のスリーブであり、
前記スリーブの内径が前記イヤホンプラグの端部の大きさと一致し、
前記スリーブの高さが、接続しようとする前記イヤホンプラグの端子の幅の合計より大きいまたは等しい
ことを特徴とする請求項１に記載の連結部品。
【請求項３】
前記リードピンは、バネ板である
ことを特徴とする請求項１に記載の連結部品。
【請求項４】
前記連結部品は、四段式のイヤホンプラグの連結に用いる場合、２つのリードピンを有し、
前記連結部品が前記イヤホンプラグと連結した場合、前記２つのリードピンが、それぞれ前記イヤホンプラグの端部近くの２つの端子に接続される
ことを特徴とする請求項１に記載の連結部品。
【請求項５】
前記端部は、前記イヤホンプラグの前端部及び／または後端部である
ことを特徴とする請求項１乃至４のいずれかに記載の連結部品。
【請求項６】
少なくとも１つの接点を備え、
イヤホンプラグが挿入され、且つ前記イヤホンプラグに連結部品が連結されている場合、前記少なくとも１つの接点が、前記連結部品の少なくとも１つのリードピンに接続され、
前記連結部品は、前記イヤホンプラグと連結した場合、前記少なくとも１つのリードピンが前記イヤホンプラグの端部近くの少なくとも１つの端子に接続されるイヤホンソケットであって、
前記イヤホンソケットの深さは、前記イヤホンプラグが前記連結部品と連結した場合、前記イヤホンプラグの端子のうち、前記連結部品のリードピンに接続される端子以外の端子の幅の合計である
ことを特徴とするイヤホンソケット。
【請求項７】
前記少なくとも１つの接点が、前記イヤホンソケットの端部または前記イヤホンソケットの途中に位置する
ことを特徴とする請求項６に記載のイヤホンソケット。
【請求項８】
少なくとも１つの接点を有するイヤホンソケットを備え、
前記イヤホンソケットは、
イヤホンプラグが挿入され、且つ前記イヤホンプラグに連結部品が連結されている場合、前記少なくとも１つの接点が、前記連結部品の少なくとも１つのリードピンに接続され、
前記連結部品は、
前記イヤホンプラグと接続連結した場合、前記少なくとも１つのリードピンが前記イヤホンプラグの端部近くの少なくとも１つの端子に接続され、
前記イヤホンソケットの深さは、前記イヤホンプラグが前記連結部品と連結した場合、前記イヤホンプラグの端子のうち、前記連結部品のリードピンに接続される端子以外の端子の幅の合計である
ことを特徴とする端末。
【請求項９】
前記少なくとも１つの接点が、前記端末が備えるイヤホンソケットの端部または前記イヤホンソケットの途中に位置する
ことを特徴とする請求項８に記載の端末。
【発明の詳細な説明】
【関連出願の相互参照】
【０００１】
本願は、出願番号がＣＮ２０１３１０４３９６０７．５であって、出願日が２０１３年９月２４日である中国特許出願に基づき優先権を主張し、当該中国特許出願のすべての内容を本願に援用する。
【技術分野】
【０００２】
本発明は、電子技術分野に関し、具体的に、イヤホンプラグ用の連結部品、イヤホンソケット及び端末に関する。
【背景技術】
【０００３】
端末技術の発展に従い、例えば、スマートフォーンと、タブレット等の端末が普及しつつある。人々は、よく端末を使用して仕事、学習、娯楽及び交流を行う。端末には通常イヤホンソケットが備えられ、イヤホンに接続するための機能を提供する。現在のイヤホンプラグは、標準のプラグであり、例えば、直径が２．５ｍｍまたは３．５ｍｍのイヤホンプラグを備える。そして、各標準において、三段式と、四段式とのイヤホンプラグを含む。
【０００４】
人々の使用体験を向上させるために、現在の端末は薄くなりつつ、スクリーンは大きくなりつつある。このような設計は、人々によい使用体験をもたらすが、端末が薄くなり、且つスクリーンが大きくなったので、イヤホンソケットとスクリーンとの配置のバランスが崩れ、互いに矛盾するようになって来た。
【発明の概要】
【発明が解決しようとする課題】
【０００５】
この問題を鑑みて、本発明の目的は、イヤホンのイヤホンソケットへの挿入長さを短くすることができるイヤホンプラグ用の連結部品、イヤホンソケット及び端末を提供する。
【課題を解決するための手段】
【０００６】
本発明の実施例の第一局面は、少なくとも１つのリードピンを備え、前記イヤホンプラグと連結した場合、前記少なくとも１つのリードピンが前記イヤホンプラグの端部近くの少なくとも１つの端子に接続されるイヤホンプラグ用の連結部品を提供する。
【０００７】
本発明の連結部品によれば、イヤホンのイヤホンソケットへの挿入長さを短くすることができ、イヤホンソケットの深さを減少させることができるので、イヤホンソケットが形成される端末において、空間を節約することができる。
【０００８】
上記技術案において、前記連結部品は、中空のスリーブであり、前記スリーブの内径が前記イヤホンプラグの端部の大きさと一致し、前記スリーブの高さが接続しようとする前記イヤホンプラグの端子の幅の合計より大きいまたは等しいことが好ましい。スリーブを採用することで、設計や制造に便利し、ユーザの使用も便利である。
【０００９】
上記技術案において、イヤホンソケットの接点と接触するように、前記リードピンはバネ板であることが好ましい。
【００１０】
上記技術案において、前記連結部品は、四段式のイヤホンプラグの連結に用いる場合、２つのリードピンを有し、前記連結部品が前記イヤホンプラグと連結した場合、前記２つのリードピンが、それぞれ前記イヤホンプラグの端部近くの２つの端子に接続されることが好ましい。当該構成によれば、２つのリードピンを備えるので、イヤホンプラグの挿入深さをさらに短くなることができる。
【００１１】
上記技術案において、前記端部は、前記イヤホンプラグの前端部及び／または後端部であることが好ましい。当該構成によれば、自由にイヤホンプラグの端子を引き出すことができる。
【００１２】
本発明の実施例の第二局面は、少なくとも１つの接点を備え、イヤホンプラグが挿入され、且つ前記イヤホンプラグに連結部品が連結されている場合、前記少なくとも１つの接点が、前記連結部品の少なくとも１つのリードピンに接続され、前記連結部品は、前記イヤホンプラグと連結した場合、前記少なくとも１つのリードピンが前記イヤホンプラグの端部近くの少なくとも１つの端子に接続されるイヤホンソケットを提供する。
【００１３】
本発明のイヤホンソケットは、連結部品のリードピンに接続されるので、イヤホンのイヤホンソケットへの挿入長さが短くなり、イヤホンソケットの深さを減少させることができるので、イヤホンソケットを備える端末において、空間を節約することができる。
【００１４】
上記技術案において、前記イヤホンソケットの深さは、前記イヤホンプラグが前記連結部品と連結した場合、前記イヤホンプラグの端子のうち、前記連結部品のリードピンに接続される端子以外の端子の幅の合計であることが好ましい。当該構成によれば、イヤホンソケットの深さの最小化を実現できる。
【００１５】
上記技術案において、前記少なくとも１つの接点が、前記イヤホンソケットの端部または前記イヤホンソケットの途中に位置することが好ましい。当該構成によれば、接点の位置を自由に設置できる。
【００１６】
本発明の実施例の第三局面は、少なくとも１つの接点を有するイヤホンソケットを備え、前記イヤホンソケットは、イヤホンプラグが挿入され、且つ前記イヤホンプラグに連結部品が連結されている場合、前記少なくとも１つの接点が、前記連結部品の少なくとも１つのリードピンに接続され、前記連結部品は、前記イヤホンプラグと連結した場合、前記少なくとも１つのリードピンが前記イヤホンプラグの端部近くの少なくとも１つの端子に接続される、端末を提供する。
【００１７】
本発明の端末は、深さを減小させるイヤホンソケットを備えるので、端末の他の部品の配置空間を大きくなることができる。
【００１８】
上記技術案において、前記イヤホンソケットの深さは、前記イヤホンプラグが前記連結部品と連結した場合、前記イヤホンプラグの端子のうち、前記連結部品のリードピンに接続される端子以外の端子の幅の合計であることが好ましい。
【００１９】
上記技術案において、前記少なくとも１つの接点が、端末が備えるイヤホンソケットの端部または前記イヤホンソケットの途中に位置することが好ましい。
【００２０】
本発明の他の特徴及び利点は、この後の明細書で記載され、また、一部が明細書から自明になり、または、本発明を実施することにより明確になる。本発明の目的及び他の利点は、公開の明細書、特許請求の範囲、及び図面で特別に指摘した構造により実現、及び取得される。
【００２１】
以上の一般的な記述及び以下の詳細な記述は、例示的なものに過ぎず、本発明を限定するものではないと理解すべきである。以下、添付図面及び実施例を用いて、本発明の技術案について詳細に説明する。
【図面の簡単な説明】
【００２２】
以下の図面は、明細書の一部分として明細書全体を構成することにより、本発明に合致する実施例を例示するとともに、本発明の原理を解釈するためのものである。
【図１】例示的な一実施例における三段式のイヤホンプラグの模式図である。
【図２】例示的な一実施例における四段式のイヤホンプラグの模式図である。
【図３】例示的な一実施例におけるイヤホンソケットが端末の頂部に設置されているときイヤホンプラグを挿入した模式図である。
【図４】例示的な一実施例におけるイヤホンソケットが端末の側方に設置されているときイヤホンプラグを挿入した模式図である。
【図５】例示的な一実施例における連結部品の一例の模式図である。
【図６】例示的な一実施例における連結部品が三段式のイヤホンプラグに接続される模式図である。
【図７】例示的な一実施例における図６のイヤホンプラグを、頂部にイヤホンソケットが形成される端末に挿入した模式図である。
【図８】例示的な一実施例における連結部品の他の例の模式図である。
【図９】例示的な一実施例における図８に示す連結部品が、四段式のイヤホンプラグに連結される模式図である。
【図１０】例示的な一実施例における図９のイヤホンプラグを、頂部にイヤホンソケットが形成される端末に挿入した模式図である。
【図１１】例示的な一実施例におけるイヤホンプラグを、正面にイヤホンソケットが形成されている端末に挿入した模式図である。
【図１２】例示的な一実施例におけるイヤホンソケットの一例の模式図である。
【図１３】例示的な一実施例における端末装置の構造を示す模式図である。
【００２３】
以上の図面を通じて、本発明の実施例を例示しているが、そのさらに具体的な内容については後述する。これらの図面及び文字記載は、本発明の趣旨の範囲を限定するためのものではなく、特定の実施例を参照として、当業者に本発明のコンセプトを理解させるためのものである。
【発明を実施するための形態】
【００２４】
以下、図面を参照して本発明の最適な実施例を説明する。ここで、最適な実施例は、本発明を説明・解釈するためのものであり、本発明を限定するものではないと理解すべきである。
【００２５】
図１の従来技術における三段式のイヤホンプラグの模式図に示すように、当該イヤホンプラグは、左チャンネルと、右チャンネルと、ＧＮＤ（グランド）との三つの端子を有する。図２の従来技術における四段式のイヤホンプラグの模式図に示すように、当該イヤホンプラグは、左チャンネルと、右チャンネルと、マイクロホンと、ＧＮＤ（グランド）との４つの端子を有する。端末に備えられるイヤホンソケットは、標準のイヤホンプラグに対応するものである。一般的に、端末において、イヤホンソケットとスクリーンとの配置関係は以下の通りである。
【００２６】
１．イヤホンソケットは、端末の頂部または底部に設置されるとともに、スクリーンの位置を避けて配置される。図３は、イヤホンソケットが端末の頂部に設置され、当該イヤホンソケットにイヤホンプラグが挿入されている状況を示す模式図である。例えば、イヤホンソケットは、長さが１４ｍｍで、且つ直径が３．５ｍｍであるイヤホンプラグに対応するイヤホンソケットである場合、スクリーンの位置を避けて配置されるために、スクリーンの上方または下方の領域を１４ｍｍより大きく設定する必要がある。
【００２７】
２．図４に示すように、イヤホンソケットは、携帯電話の側方に設置されるとともに、スクリーンの位置を避けて配置される。このような配置方法では、イヤホンソケットとスクリーンとの位置が厚さ方向において重ならないように、端末の厚さを大きくする必要がある。
【００２８】
しかし、上記の第１の配置方法では、スクリーンの上方または下方の領域が大きくなり過ぎ、また、第２の配置方法では、端末の厚さが大きくなるので、従来技術によって、端末がなるべく薄く、スクリーンがなるべく大きくなることを希望する設計理念を実現することができない。
【００２９】
本発明のイヤホンプラグ用の連結部品は、少なくとも１つのリードピンを備え、連結部品がイヤホンプラグと連結する場合、当該連結部品の少なくとも１つのリードピンが、イヤホンプラグの端部近くの少なくとも１つの端子に接続される。
【００３０】
一実施例において、当該連結部品は、イヤホンプラグと連結する際に、イヤホンプラグの端部近くの少なくとも１つの端子に接続できるリードピンを有すればよく、その形状がいずれの形状であっても、イヤホンプラグとの連結形式が任意の形式であっても構わない。
【００３１】
図５は当該連結部品の一実施例を示す。当該実施例において、連結部品は、中空（図５の符号５０２）のスリーブ５０１である。当該スリーブの内径ｒは、前記イヤホンプラグの端部の外径と一致している。即ち、当該スリーブには、イヤホンプラグの端部が収容できる。当該スリーブの高さｈは、接続しようとするイヤホンプラグの端子の幅の合計より大きいまたは等しい。当該スリーブは、例えばバネ板である１つのリードピン５０３を有する。当該連結部品を使用するとき、図６に示すように、スリーブ５０１を三段式のイヤホンプラグの後端部に外装させる。このとき、スリーブのリードピン５０３が、イヤホンプラグ６０１の後端部近くの１つの端子に接続される。図７に示すように、イヤホンプラグ６０１をイヤホンソケット６０２に挿入した場合、リードピン５０３がイヤホンソケット６０２の相応する接点（イヤホンソケットの接点を図示せず）に接続される。本実施例において、イヤホンプラグが完全にイヤホンソケットに挿入されず、イヤホンソケットに挿入されなかったイヤホンプラグの端子が、連結部品のリードピンを介してイヤホンソケットの接点に接続される。図３に比べて、イヤホンソケットに挿入したイヤホンプラグの部分が短くなるので、イヤホンソケットの必要な深さｍが小さくなり、必ず１４ｍｍより小さい。このため、当該イヤホンソケットが形成されている端末のスクリーンが大きく設定できる。
【００３２】
図８は、当該連結部品の他の実施例を示す。当該実施例において、連結部品も、中空（図８の符号８０２）のスリーブ８０１である。当該スリーブの内径ｒは、イヤホンプラグの端部を収容できる大きさであり、当該スリーブの高さｈは、接続しようとするイヤホンプラグの端子の幅の合計より大きいまたは等しい。当該スリーブは、２つのリードピン８０３、８０４を有する。当該連結部品を使用する場合、図９に示すように、スリーブ８０１を、例とする四段式のイヤホンプラグ９０１の後端部に外装させ、このとき、スリーブのリードピン８０３、８０４が、それぞれイヤホンプラグ９０１の後端部近くの２つの端子８０５、８０６に接続される。図１０に示すように、イヤホンプラグ９０１をイヤホンソケット９０２に挿入した場合、スリーブ８０１のリードピン８０３とリードピン８０４とが、それぞれイヤホンソケット９０２の相応する接点（イヤホンソケットの接点を図示せず）に接続される。本実施例において、イヤホンプラグが完全にイヤホンソケットに挿入せず、イヤホンソケット９０２に挿入しなかったイヤホンプラグ９０１の端子が、連結部品８０１のリードピンを介してイヤホンソケット９０２の接点に接続される。このため、イヤホンプラグを完全にイヤホンソケットに挿入することに比べて、イヤホンソケットの必要な深さｍが小さくなるので、当該イヤホンソケットが備えられた端末のスクリーンが大きく設定できる。
【００３３】
本発明の他の実施例において、イヤホンソケットが端末の厚さ方向に設置されている場合も、標準のイヤホンプラグを有するイヤホンを使うとき、本発明の連結部品を使用できる。
【００３４】
また、当該連結部品を使用するとき、当該連結部品のリードピンをイヤホンプラグの前端部近くの少なくとも１つの端子に接続させてよい。図１１に示すように、イヤホンプラグ１１０１をイヤホンソケット１１０２に挿入してから、スリーブ１１０３をイヤホンプラグ１１０１の前端部に外装させる。このとき、スリーブのリードピン１１０４、１１０５は、それぞれイヤホンプラグ１１０１の前端部近くの２つの端子１１０６、１１０７に接続される。そして、スリーブ１１０３のリードピン１１０４とリードピン１１０５は、それぞれイヤホンソケット１１０２の相応する接点（イヤホンソケットの接点を図示せず）に接続される。本実施例において、イヤホンプラグが完全に深さが浅いイヤホンソケットに挿入し、イヤホンソケット１１０２から延出したイヤホンプラグ１１０１の端子が、連結部品１１０３のリードピンを介してイヤホンソケット１１０２の接点に接続される。このため、イヤホンソケットの必要な深さが小さくなるので、当該イヤホンソケットが備えられた端末が薄く設定できる。
【００３５】
本発明の他の実施例において、連結部品は、例えばリードピンを有するクランプであってもよい。当該クランプは、イヤホンプラグの端子を挟んでイヤホンプラグと連結し、リードピンを当該挟まれたイヤホンプラグの端子と接続させる。
【００３６】
本発明は、上記連結部品と結合して使用するイヤホンソケットを提供する。当該イヤホンソケットが少なくとも１つの接点を有し、イヤホンプラグが前記イヤホンソケットに挿入し、且つ前記イヤホンプラグに連結部品が連結されているとき、前記少なくとも１つの接点が前記連結部品の少なくとも１つのリードピンに接続される。前記連結部品は、前記イヤホンプラグと連結したとき、少なくとも１つのリードピンが前記イヤホンプラグの端部近くの少なくとも１つの端子に接続される。
【００３７】
イヤホンソケットの深さは、イヤホンプラグが連結部品と連結したとき、前記イヤホンプラグの端子のうち、前記連結部品のリードピンに接続される端子以外の端子の幅の合計である。
【００３８】
ここで、前記少なくとも１つの接点が、イヤホンソケットの端部またはイヤホンソケットの途中に位置することが可能である。図１２は、イヤホンソケットの一実施例の模式平面図を示す。符号１２０１でイヤホンプラグを挿入するイヤホンソケットを示し、イヤホンソケットは、中空部である中心部１２０２を有する。連結部品のリードピンに接続される接点１２０３と接点１２０４とが、イヤホンソケット１２０１の端部に位置する。本発明の他の実施例において、接点が中心部１２０２に位置することが可能である。
【００３９】
本発明は、端末装置を提供する。図１３は、本発明の端末装置の構成を示す模式図である。図１３を参照して、端末装置１１００は、通信ユニット１１０と、コンピュータが読み取り可能な記憶媒体を１つまたは１つ以上含むメモリ１２０と、入力ユニット１３０と、表示ユニット１４０と、センサー１５０と、オーディオ回路１６０と、ＷｉＦｉ（ｗｉｒｅｌｅｓｓ  ｆｉｄｅｌｉｔｙ）モジュール１７０と、１つまたは１つ以上の処理コアを有するプロセッサ１８０と、電源１９０等の部品を備える。当業者は、図１３に示す端末装置の構成は端末装置に対する限定ではなく、当該端末装置が、図示した部品より多い数、または少ない数の部品を備えてもよく、或いは、幾つかの部品の組み合わせ、または異なる部品配置を有してもよい、ことを理解すべきである。
【００４０】
ここで、通信ユニット１１０は、情報の送受信または通話中において、信号を受信及び送信するためのものである。当該通信ユニット１１０は、ＲＦ（Ｒａｄｉｏ  Ｆｒｅｑｕｅｎｃｙ）回路、ルーター、モデム等のネットワーク通信装置であってもよい。特に、通信ユニット１１０がＲＦ回路である場合、基地局からの下り情報を受信した後、１つまたは１つ以上のプロセッサ１８０に渡して処理させ、上りデータを基地局に送信する。一般的に、通信ユニットであるＲＦ回路は、アンテナと、少なくとも１つのアンプと、チューナと、１つまたは複数の発振機と、加入者識別モジュール（ＳＩＭ）と、送受信器と、カプラーと、ＬＮＡ（Ｌｏｗ  Ｎｏｉｓｅ  Ａｍｐｌｉｆｉｅｒ、ローノイズアンプ）と、デュプレクサ等を含むが、これらに限定しない。また、通信ユニット１１０は、無線通信でネットワーク、及び他の装置と通信することができる。前記無線通信として、ＧＳＭ（Ｇｌｏｂａｌ  Ｓｙｓｔｅｍ  ｏｆ  Ｍｏｂｉｌｅ  ｃｏｍｍｕｎｉｃａｔｉｏｎ）、ＧＰＲＳ（Ｇｅｎｅｒａｌ  Ｐａｃｋｅｔ  Ｒａｄｉｏ  Ｓｅｒｖｉｃｅ）、ＣＤＭＡ（Ｃｏｄｅ  Ｄｉｖｉｓｉｏｎ  Ｍｕｌｔｉｐｌｅ  Ａｃｃｅｓｓ）、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＬＴＥ（Ｌｏｎｇ  Ｔｅｒｍ  Ｅｖｏｌｕｔｉｏｎ）、電子メール、ＳＭＳ（Ｓｈｏｒｔ  Ｍｅｓｓａｇｉｎｇ  Ｓｅｒｖｉｃｅ）等を含む任意の通信規格またはプロトコルを使用してもよいが、これらに限定しない。メモリ１２０は、ソフトウェアプログラム及びモジュールを格納するためのものである。プロセッサ１８０は、メモリ１２０に格納されたソフトウェアプログラム及びモジュールを実行することによって、各種機能のアプリ及びデータ処理を実現する。メモリ１２０には、主に、プログラム格納領域とデータ格納領域を有する。プログラム格納領域には、ＯＳ、少なくとも１つの機能を実現するアプリ（例えば、音声再生機能、画像再生機能等）等が格納される。データ格納領域には、端末装置７００の使用により作成されたデータ等（例えば、オーディオデータ、電話帳等）が格納される。また、メモリ１２０は、高速ＲＡＭ（Ｒａｎｄｏｍ  Ａｃｃｅｓｓ  Ｍｅｍｏｒｙ）を含んでもよく、さらに、例えば少なくとも１つの磁気ディスクメモリ、フラッシュメモリなどの不揮発性メモリ、或いは他の揮発性のＳＳＤ（ｓｏｌｉｄ  ｓｔａｔｅ  ｄｒｉｖｅ）メモリを含んでもよい。また、メモリ１２０は、プロセッサ１８０及び入力ユニット１３０がメモリ１２０にアクセスできるように、メモリ制御器をさらに含んでもよい。
【００４１】
入力ユニット１３０は、数字或いはキャラクター情報の入力を受け付け、及び、ユーザ設定及び機能制御に関するキーボード、マウス、ジョイスティック、光学ボールやトラックボールにより信号入力を発生させるためのものである。入力ユニット１３０は、タッチセンシティブ表面１３１及び他の入力装置１３２を含んでもよい。タッチセンシティブ表面１３１は、タッチパネルやタッチパッドとも呼ばれ、ユーザがその表面上や付近に対するタッチ操作（例えば、ユーザが指やタッチペンなどの任意の適した物や付属品を使用して、タッチセンシティブ表面１３１上やタッチセンシティブ表面１３１付近に対して行う操作）を収集するとともに、予め設定されたプログラムにしたがって、関連する接続装置を駆動する。タッチセンシティブ表面１３１は、選択的に、タッチ検出手段及びタッチ制御器の２つの部分を含んでもよい。ここで、タッチ検出手段は、ユーザのタッチ位置を検出するとともに、タッチ操作による信号を検出し、そのタッチ情報をタッチ制御器に送信する。タッチ制御器は、タッチ検出手段からタッチ情報を受信し、当該情報を接触点座標に変換してプロセッサ１８０に送信するとともに、プロセッサ１８０からのコマンドを受信して実行する。なお、抵抗式、容量式、赤外線式及び表面弾性波式などの様々な方式によりタッチセンシティブ表面１３１を実現することができる。入力ユニット１３０は、タッチセンシティブ表面１３１に加えて、他の入力装置１３２をさらに含んでもよい。他の入力装置１３２は、物理的なキーボード、ファンクションキー（例えば、ボリュームボタン、スイッチボタン等）、トラックボール、マウス、ジョイスティック等のうちの１つまたは複数を含んでもよいが、これらに限らない。
【００４２】
表示ユニット１４０は、ユーザが入力した情報やユーザに提供した情報、及び端末装置１１００の各種のグラフィカル・ユーザー・インターフェース（ＧＵＩ）を表示するためのものである。これらのグラフィカル・ユーザー・インターフェースは、図形、テキスト、アイコン、ビデオ及びそれらの任意の組合せで構成されることができる。表示ユニット１４０は、表示パネル１４１を含む。表示パネル１４１は、ＬＣＤ（Ｌｉｑｕｉｄ  Ｃｒｙｓｔａｌ  Ｄｉｓｐｌａｙ）、ＯＬＥＤ（Ｏｒｇａｎｉｃ  Ｌｉｇｈｔ−Ｅｍｉｔｔｉｎｇ  Ｄｉｏｄｅ）等の形態で構成されてもよい。さらに、タッチセンシティブ表面１３１は、表示パネル１４１を覆うように設けられ、タッチセンシティブ表面１３１がその表面または付近に対するタッチ操作を検出すると、その検出結果をプロセッサ１８０に転送してタッチイベントのタイプを確認させ、その後、プロセッサ１８０は、タッチイベントのタイプに基づいて、表示パネル１４１上に対応する視覚的出力を提供するように構成されてもよい。図１３において、タッチセンシティブ表面１３１と表示パネル１４１とが２つの独立した部品として出力及び入力の機能を実現するように構成されているが、タッチセンシティブ表面１３１と表示パネル１４１とを集積構成して入力及び出力機能を実現する実施例もあり得る。
【００４３】
端末装置１１００は、は、さらに、例えば光センサー、運動センサー及び他のセンサーなどの、少なくとも１つのセンサー１５０を含んでもよい。光センサーは、環境光センサーと近接センサーを含んでもよいが、環境光センサーは、環境光の明るさに基づいて、表示パネル１４１の輝度を調整することができ、近接センサーは、端末装置１１００が耳元まで移動すると、表示パネル１４１及び／またはバックライトをオフする。運動センサーの一種としての重力加速度センサーは、各方向（一般的には、３軸）における加速度の大きさを検出することができ、静止の状態では、重力の大きさ及びその方向を検出することができるので、携帯電話の姿勢を認識するアプリ（例えば、画面の横縦向きの切り替え、ゲーム、磁力計の姿勢校正）、振動認識に関する機能（例えば、歩数計、パーカッション）等に使用される。端末装置１１００には、さらに、ジャイロスコープ、気圧計、湿度計、温度計、赤外線センサー等のほかのセンサーが備えられるが、ここで、その具体的な説明は省略する。
【００４４】
オーディオ回路１６０、スピーカ１６１、マイク１６２は、ユーザと端末装置１１００との間のオーディオインタフェースを提供する。オーディオ回路１６０は、受信したオーディオデータから変換された電気信号をスピーカ１６１に転送し、スピーカ１６１により音声信号に変換して出力する。一方、マイク１６２は、収集した音声信号を電気信号に変換し、オーディオ回路１６０が当該電気信号を受信した後オーディオデータに変換し、オーディオデータをプロセッサ１８０に転送して処理してから、ＲＦ回路１１０を介して例えば他の端末装置に転送するか、或いはオーディオデータをメモリ１２０に送信して更に処理を行うようにする。オーディオ回路１６０は、端末装置１１００が外部のイヤホンと通信できるように、イヤホンソケットを含んでもよい。本発明のイヤホンソケットは、少なくとも１つの接点を有し、イヤホンプラグが前記イヤホンソケットに挿入し、且つイヤホンプラグに連結部品が連結されたとき、前記少なくとも１つの接点が前記連結部品の少なくとも１つのリードピンに接続される。前記連結部品は、前記イヤホンプラグと連結した場合、少なくとも１つのリードピンが前記イヤホンプラグの端部近くの少なくとも１つの端子に接続される。
【００４５】
イヤホンソケットの深さは、イヤホンプラグが連結部品と連結した場合、前記イヤホンプラグの端子のうち、前記連結部品のリードピンに接続される端子以外の端子の幅の合計である。
ここで、少なくとも１つの接点が、端末のイヤホンソケットの端部またはイヤホンソケットの途中に位置する。
【００４６】
当該端末装置は、無線通信を実現するために、無線通信ユニット１７０を備えてもよい。当該無線通信ユニット１７０は、ＷｉＦｉモジュールであってもよい。ＷｉＦｉは近距離無線通信技術に属し、ユーザに無線のブロードバンドインターネットアクセスを提供するので、ユーザは、端末装置１１００の無線通信ユニット１７０を利用して、電子メールの送受信、ウェブの閲覧、ストリーミングメディアのアクセス等を行なうことができる。図１３において、無線通信ユニット１７０を示しているが、当該無線通信ユニット１７０は、端末装置１１００にとって不可欠な構成ではなく、本発明の趣旨を変更しない範囲内で必要に応じて省略することができる、ことを理解すべきである。
【００４７】
プロセッサ１８０は、端末装置１１００の制御センターであり、各種のインタフェース及び回路を介して携帯電話全体の各部に接続され、メモリ１２０内に格納されたソフトウェアプログラム及び／またはモジュールを実行または作動させるとともに、メモリ１２０内に格納されたデータを呼び出すことによって、端末装置１１００の各種機能の実行及びデータの処理を実現することで、携帯電話全体をコントロールする。プロセッサ１８０は、１つまたは複数の処理コアを含んでもよく、アプリプロセッサとモデムプロセッサを集積して構成されてもよい。ここで、アプリプロセッサは、主に、ＯＳ、ユーザインタフェース、及びアプリなどを処理し、モデムプロセッサは、主に、無線通信を処理する。また、上記モデムプロセッサがプロセッサ１８０に集積されなくてもよい、ことを理解すべきである。
【００４８】
端末装置１１００は、さらに、各部に電力を供給する電源１９０（例えば、バッテリー）を含み、当該電源１９０は、電源管理システムを介してプロセッサ１８０にロジック的に接続されることにより、電源管理システムを介して充電・放電管理、及び電力管理等の機能を実現することができる。電源１９０は、さらに、１つ或いは１つ以上の直流または交流電源、再充電システム、電源故障検出回路、電源コンバータまたはインバータ、電源状態インジケータ等の任意のアセンブリを含んでもよい
【００４９】
端末装置１１００は、図示してはないが、カメラ、ブルートゥースモジュール等をさらに含んでもよいが、ここで、その具体的な説明は省略する。本実施例において、端末装置の表示手段は、タッチパネルディスプレイであり、端末装置は、さらに、メモリ、及びメモリに記憶され、且つ１つまたは１つ以上のプロセッサにより実行される１つまたは１つ以上のプログラムを備える。
【００５０】
なお、典型的には、本発明に記載のモバイル端末は、例えば携帯電話、パーソナルディジタルアシスタント（ＰＤＡ）等の各種の手持ち端末装置であってもよいため、本発明の保護範囲をある特定タイプのモバイル端末に限定すべきではない。
【００５１】
なお、本発明に係る方法は、さらに、ＣＰＵにより実行されるコンピュータプログラムとしても実現されることができる。当該コンピュータプログラムがＣＰＵにより実行されると、本発明の方法において限定される上述の機能が実現される。
【００５２】
なお、上記の方法の各ステップ及びシステム要素は、コントローラ、及びコントローラに上記のステップまたは要素の機能を実現させるコンピュータプログラムを記録するためのコンピュータ読取り可能な記録媒体によりも実現されることができる。
【００５３】
なお、当業者であれば、本発明に記載のコンピュータ読取り可能な記録媒体（例えば、メモリ）は、揮発性メモリまたは不揮発性メモリのいずれかであってもよく、あるいは、揮発性メモリ及び不揮発性メモリの両方を備えてもよいことを理解すべきである。例えば、不揮発性メモリには、ＲＯＭ（Ｒｅａｄ  Ｏｎｌｙ  Ｍｅｍｂｅｒ）、ＰＲＯＭ（Ｐｒｏｇｒａｍｍａｂｌｅ  ＲＯＭ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、またはフラッシュメモリが含まれてもよく、揮発性メモリには、外部のキャッシュメモリとして機能するＲＡＭ（Ｒａｎｄｏｍ  Ａｃｃｅｓｓ  Ｍｅｍｏｒｙ）が含まれてもよいが、両方ともこれに限定されない。例えば、ＲＡＭは、ＳＲＡＭ（ｓｙｎｃｈｒｏｎｏｕｓ  ＲＡＭ）、ＤＲＡＭ（Ｄｙｎａｍｉｃ  ＲＡＭ）、ＳＤＲＡＭ（Ｓｙｎｃｈｒｏｎｏｕｓ  Ｄｙｎａｍｉｃ  ＲＡＭ）、ＤＤＲ  ＳＤＲＡＭ（Ｄｏｕｂｌｅ−Ｄａｔａ−Ｒａｔｅ  ＳＤＲＡＭ）、ＥＳＤＲＡＭ（Ｅｎｈａｎｃｅｄ  ＳＤＲＡＭ）、ＳＬＤＲＡＭ（Ｓｙｎｃｈｒｏｎｏｕｓ  ｌｉｎｋ  ＲＡＭ）及びＤＲＲＡＭ（Ｄｉｒｅｃｔ  Ｒａｍｂｕｓ  ＲＡＭ）などの多くの形式により実現可能であるが、これに限定されない。ここで上記の記録媒体を開示するのは、本発明の保護範囲にこれらの記録媒体及び他の適したタイプの記録媒体を含ませるためであって、これらのみに限定されないことを意図する。
【００５４】
当業者は、更に、本発明に記載の種々の例示的な論理ブロック、モジュール、回路、及びアルゴリズムステップが、電子ハードウェア、コンピュータソフトウェア、または両者の組み合わせにより実現され得る、ことを理解すべきである。ハードウェアとソフトウェアの間のこのような互換性を明確に説明するために、種々の例示的なコンポーネント、ブロック、モジュール、回路、及びステップの機能について、以上において通常的な説明を行っている。このような機能が、ソフトウェアにより実現されるか、または、ハードウェアにより実現されるかは、具体的なアプリ、及びシステム全体に課される設計上の制約により選択される。当業者は、具体的なアプリそれぞれにおいて、様々な方式を選択して前記機能を実現してもよく、このような選択は、本発明の範囲を逸脱したものとして解釈されるべきではない。
【００５５】
以上の開示内容に結び付けられて説明される種々の例示的な論理ブロック、モジュール、及び回路は、上述の機能を行なうように設計された汎用プロセッサ、ＤＳＰ（Ｄｉｇｉｔａｌ  Ｓｉｇｎａｌ  Ｐｏｃｅｓｓｏｒ）、特定用途向け集積回路（ＡＳＩＣ）、ＦＰＧＡ（Ｆｉｅｌｄ−ｐｒｏｇｒａｍｍａｂｌｅ  Ｇａｔｅ  Ａｒｒａｙ）または他のプログラム可能な論理デバイス、ディスクリートゲートまたはトランジスタロジック、ディスクリートハードウェアコンポーネント、或いは、これら部材の任意の組み合わせによって、実現または実行されることができる。汎用プロセッサは、マイクロプロセッサであってもよいが、マイクロプロセッサの代わりに、プロセッサは任意の従来のプロセッサ、コントローラ、マイクロコントローラ、または状態機械であってもよい。プロセッサは、例えば、ＤＳＰとマイクロプロセッサの組み合わせ、複数のマイクロプロセッサ、ＤＳＰコアと１つまたは複数のマイクロプロセッサの組み合わせ、或いは任意のこのような他の構成といった、コンピューティングデバイスの組み合わせとして実現されてもよい。
【００５６】
以上の開示内容に結び付けられて説明される方法、または、アルゴリズムのステップは、ハードウェア、プロセッサによって実行されるソフトウェアモジュール、またはこの両者の組合せに直接的に含まれる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当該分野において公知の他の形態で存在する任意の記憶媒体に格納されてもよい。例示的な記憶媒体は、プロセッサが記憶媒体から情報を読み出すことができ、且つ、プロセッサが記憶媒体に情報を書き込むことができるように、プロセッサに結合される。代案として、前記記憶媒体はプロセッサと一体的に集積されてもよい。プロセッサと記憶媒体はＡＳＩＣに格納されてもよい。ＡＳＩＣはユーザ端末に格納されてもよい。代案として、プロセッサと記憶媒体は別個のコンポーネントとしてユーザ端末に格納されてもよい。
【００５７】
１つまたは複数の例示的な設計として、前記機能はハードウェア、ソフトウェア、ファームウェアまたはこれらの任意の組み合わせによって実現されることができる。ソフトウェアにより実現される場合、前記機能を１つまたは複数の指令、またはコードとしてコンピュータ読取り可能な媒体に記憶するか、または、コンピュータ読取り可能な媒体を用いて伝送する。コンピュータ読取り可能な媒体は、コンピュータ記憶媒体及び通信媒体を含み、当該通信媒体には、コンピュータプログラムを１つの位置から他の位置へ伝送するための任意の媒体が含まれる。記憶媒体は、汎用または専用コンピュータによりアクセス可能な任意の使用可能媒体であり得る。例として、当該コンピュータ読取り可能な媒体は、ＲＡＭ、ＲＯＭ、ＥＥＰＲＯＭ、ＣＤ−ＲＯＭまたは他の光ディスク記憶デバイス、ディスク記憶デバイスまたは他の磁性記憶デバイスを含んでもよく、或いは、携帯できるもの、または記憶形態が指令またはデータ構造である必要なプログラムコードを記憶するためのもので、且つ、汎用または専用コンピュータ或いは汎用または専用プロセッサアクセスによりアクセス可能な任意の他の媒体であり得るが、これに限定されるものではない。なお、任意の接続であっても、コンピュータ読取り可能な媒体として称されることができる。例えば、同軸ケーブル、光ファイバケーブル、ツイストペア、デジタル加入者回線（ＤＳＬ）、または、赤外線、ワイヤレス及びマイクロ波のような無線技術を用いて、ウェブサイト、サーバまたは他のリモートソースからソフトウェアを送信する場合、上記の同軸ケーブル、光ファイバケーブル、ツイストペア、ＤＳＬ、または、赤外線、ワイヤレス及びマイクロ波のような無線技術の何れもが媒体の定義に含まれる。以上の磁気ディスク及び光ディスクは、ＣＤ（ｃａｍｐａｃｔ  ｄｉｓｋ）、レーザーディスク、光ディスク、ＤＶＤ（ｄｉｇｉｔａｌ  ｖｅｒｓａｔｉｌｅ  ｄｉｓｃ）、フロッピー・ディスク、ブルーレイディスクを含み、磁気ディスクは、通常磁性を利用してデータの再生を行なうものであり、光ディスクは、レーザ光を用いて光学的にデータの再生を行なうものである。また、以上の構成の組み合わせもコンピュータ読取り可能な媒体の範囲に含まれるべきである。
【００５８】
以上の開示内容により、本発明の実施例を例示的に示しているが、請求項により限定される本発明の範囲を逸脱しない限り、多種の変更及び修正を行うことができる。以上に開示された実施例に基づく方法における請求項の機能、ステップ及び／またはジェスチャーは、ある特定の手順で実行する必要はない。なお、本発明に係る要素は、個体として記載または要求されているが、単数であると明確に限定されていない限り、複数であってもよい。
【００５９】
上記の具体的な実施形態において、本発明の目的、技術案及び有益な効果について更に詳細に説明しているが、上記の内容は、本発明の具体的な実施形態であって、本発明の保護範囲に対する限定ではなく、本発明の趣旨及び原則範囲内で行われる任意の修正、均等の取替、改良などは、その何れも本発明の保護範囲に含まれるべきである、ということを理解すべきである。
【図１】
0005931297.tif 000002
【図２】
0005931297.tif 000003
【図３】
0005931297.tif 000004
【図４】
0005931297.tif 000005
【図５】
0005931297.tif 000006
【図６】
0005931297.tif 000007
【図７】
0005931297.tif 000008
【図８】
0005931297.tif 000009
【図９】
0005931297.tif 000010
【図１０】
0005931297.tif 000011
【図１１】
0005931297.tif 000012
【図１２】
0005931297.tif 000013
【図１３】
0005931297.tif 000014